(57)【要約】【課題】例えば、施設の上部において、必要に応じてチェーンブロックを移動可能に取り付けることのできるレールが、種々の方向に複数設置されている場合において、このレールを利用して施設内にクリーンルームを容易に製作することのできる、施設のレールを利用した簡易クリーンルームと、この簡易クリーンルームを使用した、簡易クリーンルームの製作方法を提供する。【解決手段】本発明に係る施設のレールを利用した簡易クリーンルームは、施設の上部に設置されている所定の長さのレールに対して、レールの長手方向に直交するように２本の支持杆を所定の間隔を開けて配置し、両支持杆とレールの上面側にシートを取り付け、また、両支持杆の一端側・他端側のそれぞれに、レールの長手方向に沿うようにシートを取り付け、さらに、個々の支持杆の側面に、それぞれシートを取り付けている。【選択図】図１
2012180964.tif 000002
【特許請求の範囲】
【請求項１】
施設の上部に設置されている所定の長さのレールに対して、レールの長手方向に直交するように２本の支持杆を所定の間隔を開けて配置し、両支持杆とレールの上面側にシートを取り付け、また、両支持杆の一端側と他端側、個々の支持杆の側面に、シートを適宜取り付けたことを特徴とする、施設のレールを利用した簡易クリーンルーム。
【請求項２】
レールは、上下に配置した所定の長さの矩形状のフランジ板を、所定の長さの矩形状のウェブ板により連設したＨ形鋼であると共に、チェーンブロックを移動可能に取り付けることのできるモノレールである請求項１に記載の施設のレールを利用した簡易クリーンルーム。
【請求項３】
レールのウェブ板に所定の間隔を開けて２個の取付孔を穿設し、この取付孔に支持杆を貫装して、レールに２本の支持杆を配置すると共に、支持杆を所定の長さの四角柱状に形成し、支持杆の両端部分における上面・外側面・端面に支持突棒を配置する一方、個々のシートを略矩形状に形成し、シートの角部に設けた取付孔を支持突棒に掛け止めして個々のシートを取り付けている請求項２に記載の施設のレールを利用した簡易クリーンルーム。
【請求項４】
請求項１乃至３に記載の施設のレールを利用した簡易クリーンルームを使用した、簡易クリーンルームの製作方法。
【発明の詳細な説明】
【技術分野】
【０００１】
本発明は、例えば、施設の上部において、必要に応じてチェーンブロックを移動可能に取り付けることのできるレールが、種々の方向に複数設置されている場合において、このレールを利用して施設内にクリーンルームを容易に製作することのできる、施設のレールを利用した簡易クリーンルームと、この簡易クリーンルームを使用した、簡易クリーンルームの製作方法に関するものである。
【背景技術】
【０００２】
発電所や変電所等の様々な施設内においては、例えば、図１４に示すように、施設の上部において、必要に応じてチェーンブロックＢを移動可能に取り付けることのできるレールＲが、種々の方向に複数設置されていることがある。
【０００３】
この様な施設において、一部の作業空間を区画する必要があるときは、例えば、特許文献１に示すように、施設の天井部へ吊り下げができると共に製造ラインの一部分の空間を仕切ることができる外枠材と、該外枠材の上面に載せる天板と、該天板上に設置した高度除塵フイルターユニット（以下、ＨＥＰＡユニットと言う）と、該ＨＥＰＡユニット、前記天板及び前記外枠材とを覆うことができるシート材と、該シート材の一部に設けられた出入り口とを有するクリーンルームが存在する。
【先行技術文献】
【特許文献】
【０００４】
【特許文献１】特開平１０−９６５４３号公報
【発明の概要】
【発明が解決しようとする課題】
【０００５】
しかしながら、特許文献１に示すクリーンルームにおいては、外枠材と、該外枠材の上面に載せる天板を、複数の吊り部を介して、施設の天井部に吊り下げる必要があることから、この外枠材と天板の吊り下げ作業が非常に面倒である。
【０００６】
また、施設の上部に、チェーンブロックＢを移動可能に取り付けることのできるレールＲが、種々の方向に複数設置されている場合には、このレールＲ自体が障害となって、天井部の所望の位置に、外枠材と天板を吊り下げることができない事態が生じる。
【０００７】
そこで、本発明は、如上のような従来存した諸事情に鑑み創出されたもので、例えば、施設の上部において、必要に応じてチェーンブロックを移動可能に取り付けることのできるレールが、種々の方向に複数設置されている場合において、このレールを利用して施設内にクリーンルームを容易に製作することのできる、施設のレールを利用した簡易クリーンルームと、この簡易クリーンルームを使用した、簡易クリーンルームの製作方法に関するものである。
【課題を解決するための手段】
【０００８】
本発明に係る施設のレールを利用した簡易クリーンルームは、施設の上部に設置されている所定の長さのレールに対して、レールの長手方向に直交するように２本の支持杆を所定の間隔を開けて配置し、両支持杆とレールの上面側にシートを取り付け、また、両支持杆の一端側と他端側、個々の支持杆の側面に、シートを適宜取り付けたことにより、上述した課題を解決した。
【０００９】
また、レールは、上下に配置した所定の長さの矩形状のフランジ板を、所定の長さの矩形状のウェブ板により連設したＨ形鋼であると共に、チェーンブロックを移動可能に取り付けることのできるモノレールであることにより、同じく上述した課題を解決した。
【００１０】
さらに、レールのウェブ板に所定の間隔を開けて２個の取付孔を穿設し、この取付孔に支持杆を貫装して、レールに２本の支持杆を配置すると共に、支持杆を所定の長さの四角柱状に形成し、支持杆の両端部分における上面・外側面・端面に支持突棒を配置する一方、個々のシートを略矩形状に形成し、シートの角部に設けた取付孔を支持突棒に掛け止めして個々のシートを取り付けていることにより、同じく上述した課題を解決した。
【００１１】
この他、本発明に係る簡易クリーンルームの製作方法は、前記した施設のレールを利用した簡易クリーンルームを使用したことにより、同じく上述した課題を解決した。
【発明の効果】
【００１２】
本発明は、例えば、施設の上部において、必要に応じてチェーンブロックを移動可能に取り付けることのできるレールが、種々の方向に複数設置されている場合において、このレールを利用することにより、施設内にクリーンルームを容易に製作することができる。
【００１３】
具体的には、施設の上部に設置されている所定の長さのレールに対して、レールの長手方向に直交するように２本の支持杆を所定の間隔を開けて配置し、両支持杆とレールの上面側にシートを取り付け、また、両支持杆の一端側と他端側、個々の支持杆の側面に、シートを適宜取り付けたことにより、作業空間を区画した状態のクリーンルームを容易に製作することができる。
【００１４】
例えば、施設の機器を設置した状態のまま、当該機器を施設内で分解したり、組み立てる作業を実施する場合において、一定以上の防塵雰囲気が求められる際に、施設の上部に設置されているレールを利用して、当該機器を内部に収容した状態で、作業空間を区画したクリーンルームを容易に製作することができる。
【００１５】
このとき、当該機器の周囲に存在している柱や、機器自体の上部に位置している梁等を利用してクリーンルームを製作するものではないことから、例えば、機器の周囲に足場を組む等の手間の掛かる準備をする必要がない。また、足場を組む際に作業員の安全を確保するために、例えば、安全ベルトを掛けるための親綱を張設する必要もないので、クリーンルームを製作する際に、作業時間の大幅な短縮と、製作費用の大幅な削減を実現できる。
【００１６】
また、レールは、上下に配置した所定の長さの矩形状のフランジ板を、所定の長さの矩形状のウェブ板により連設したＨ形鋼であることから、このＨ形鋼に２本の支持杆を配置して、クリーンルームの堅牢性を維持することができる。
【００１７】
さらに、レールは、チェーンブロックを移動可能に取り付けることのできるモノレールであることから、クリーンルーム内において、チェーンブロックを使用した種々の作業を実施することができる。また、施設の上部に設置されている既設のモノレールを利用して、クリーンルームを容易に製作することができる。
【００１８】
加えて、レールのウェブ板に所定の間隔を開けて２個の取付孔を穿設し、この取付孔に支持杆を貫装して、レールに２本の支持杆を配置していることから、レールへの支持杆の取り付け及び取り外しが極めて容易である。
【００１９】
また、支持杆を所定の長さの四角柱状に形成し、支持杆の両端部分における上面・外側面・端面に支持突棒を配置する一方、個々のシートを略矩形状に形成し、シートの角部に設けた取付孔を支持突棒に掛け止めして、個々のシートを容易に取り付けることができる。同様に、個々のシートの取り外しも、極めて容易である。
【００２０】
この他、前記した施設のレールを利用した簡易クリーンルームを使用した、簡易クリーンルームの製作方法においては、施設の上部に設置されている既設のレールを利用して、クリーンルームを容易に製作することができることから、このクリーンルームの製作に熟練した技能を要することが無く、誰もが極めて短時間の内にクリーンルームを製作することができる。また、クリーンルームの撤去も容易である。
【図面の簡単な説明】
【００２１】
【図１】レールの長手方向に直交するように、２本の支持杆（２Ａ，２Ｂ）を所定の間隔を開けて配置している状態を示す斜視図である。
【図２】２本の支持杆（２Ａ，２Ｂ）とレールの上面側に、シート（Ｓ１）を取り付ける状態を示す分解斜視図である。
【図３】２本の支持杆（２Ａ，２Ｂ）の一端側と他端側に、レールの長手方向に沿うようにシート（Ｓ２，Ｓ３）を取り付ける状態と、２本の支持杆（２Ａ，２Ｂ）の側面にも、シート（Ｓ４，Ｓ５）を取り付ける状態を示す分解斜視図である。
【図４】シート（Ｓ１）により天井部分を形成し、複数のシート（Ｓ２，Ｓ３、Ｓ４，Ｓ５）により周壁部分を形成している簡易クリーンルームの構成を示す斜視図である。
【図５】各シート（Ｓ１、Ｓ２，Ｓ３、Ｓ４，Ｓ５）が接合している部分にテープを貼着して、気密性を維持している簡易クリーンルームの構成を示す斜視図である。
【図６】Ｈ形鋼により構成されているレールのウェブ板の両端部に取付孔を穿設し、この取付孔に支持杆（２Ａ）を貫装して、レールに支持杆（２Ａ）を配置する状態を示す分解斜視図である。
【図７】Ｈ形鋼により構成されているレールのウェブ板の両端部に取付孔を穿設し、この取付孔に支持杆（２Ａ）を貫装して、レールに支持杆（２Ａ）を配置した状態を示す斜視図である。
【図８】支持杆（２Ａ，２Ｂ）への支持突棒の取り付け状態を示すもので、（ａ）は支持杆（２Ａ）に支持突棒を取り付ける状態を示す分解斜視図、（ｂ）は支持杆（２Ａ）に支持突棒を取り付けた状態を示す斜視図、（ｃ）は支持杆（２Ｂ）に支持突棒を取り付けた状態を示す斜視図である。
【図９】各シート（Ｓ１、Ｓ２，Ｓ３、Ｓ４，Ｓ５）の取付孔（１０、１１、１２）を、支持杆（２Ａ）の支持突棒に掛け止めする状態を示す分解斜視図である。
【図１０】各シート（Ｓ１、Ｓ２，Ｓ３、Ｓ４，Ｓ５）の取付孔（１０、１１、１２）を、支持杆（２Ａ）の支持突棒に掛け止めした状態を示す斜視図である。
【図１１】各シート（Ｓ１、Ｓ２，Ｓ３、Ｓ４，Ｓ５）が接合している部分と、レールの吊り下げ柱の周囲に、所定のテープを貼着している簡易クリーンルームの構成を示す斜視図である。
【図１２】取付孔をウェブ板の下方位置に穿設し、この取付孔に支持杆（２Ａ）を貫装して、レールを構成する下方に位置しているフランジ板に、支持杆（２Ａ）を載置している状態を示す斜視図である。
【図１３】レールへの支持杆（２Ａ）の他の取り付け状態を示すもので、（ａ）はウェブ板の取付孔に、所定の長さの円筒体を固定する状態を示す分解斜視図、（ｂ）は円筒体の両側から、分割した支持杆（２Ａ）を貫装する状態を示す分解斜視図、（ｃ）は円筒体の両側から、分割した支持杆（２Ａ）を貫装した状態を示す斜視図である。
【図１４】発電所や変電所等の様々な施設の上部において、必要に応じてチェーンブロックを移動可能に取り付けることのできるレールが、種々の方向に複数設置されている状態を示す斜視図である。
【発明を実施するための形態】
【００２２】
本発明に係る施設のレールＲを利用した簡易クリーンルーム１は、図１に示すように、施設の上部に設置されている所定の長さのレールＲに対して、レールＲの長手方向に直交するように２本の支持杆２Ａ，２Ｂを所定の間隔を開けて配置している。
【００２３】
そして、図２に示すように、両支持杆２Ａ，２ＢとレールＲの上面側に、シートＳ１を取り付けている。また、図３に示すように、両支持杆２Ａ，２Ｂの一端側に、レールＲの長手方向に沿うようにシートＳ２を取り付けている。同様に、両支持杆２Ａ，２Ｂの他端側にも、レールＲの長手方向に沿うようにシートＳ３を取り付けている。さらに、個々の支持杆２Ａの側面にシートＳ４を取り付けると共に、支持杆２Ｂの側面にもシートＳ５を取り付けている。
【００２４】
この様に、本発明に係る施設のレールＲを利用した簡易クリーンルーム１は、図４に示すように、２本の支持杆２Ａ，２ＢとレールＲの上面側にシートＳ１を取り付けて、このシートＳ１により簡易クリーンルーム１としての天井部分を形成している。
【００２５】
また、両支持杆２Ａ，２Ｂの一端側・他端側のそれぞれに、レールＲの長手方向に沿うようにシートＳ２，Ｓ３を取り付け、さらに、個々の支持杆２Ａの側面にシートＳ４を取り付けると共に、支持杆２Ｂの側面にもシートＳ５を取り付けて、複数のシートＳ２，Ｓ３、Ｓ４，Ｓ５により簡易クリーンルーム１としての周壁部分を形成している。
【００２６】
そして、これらのシートＳ１、シートＳ２，Ｓ３、Ｓ４，Ｓ５により、閉鎖した状態のクリーンルームを形成している。
【００２７】
また、図５に示すように、各シートＳ１、Ｓ２，Ｓ３、Ｓ４，Ｓ５が接合している部分に、所定のテープＴを貼着して、簡易クリーンルーム１としての気密性を維持している。
【００２８】
尚、図４・図５に示す簡易クリーンルーム１は、個々のシートＳ１、Ｓ２，Ｓ３、Ｓ４，Ｓ５により天井部分と周壁部分を形成して、完全に閉鎖した状態のクリーンルーム１を形成しているが、この構成に限定されることはない。
【００２９】
例えば、両支持杆２Ａ，２ＢとレールＲの上面側にシートＳ１を取り付け、また、両支持杆２Ａ，２Ｂの一端側と他端側、個々の支持杆２Ａ，２Ｂの側面に、シートＳ２，Ｓ３、Ｓ４，Ｓ５を適宜取り付けて、開放部分を残したクリーンルーム１を形成しても良い。
【００３０】
この開放部分を残したクリーンルーム１は、例えば、両支持杆２Ａ，２Ｂの一端側のシートＳ２を取り外して開放部分とし、このクリーンルーム１の開放部分を、施設の壁側に向けたようなクリーンルーム１である。
【００３１】
２本の支持杆２Ａ，２Ｂを配置する所定の長さのレールＲは、図１・図１４に示すように、施設の上部において、種々の方向に複数設置されている。このレールＲは、レールＲの両端部において、吊り下げ柱３が上方に向けて延設され、この吊り下げ柱３を介して施設の上部に設置されている。
【００３２】
また、レールＲは、図１・図１４に示すように、上下に配置した所定の長さの矩形状のフランジ板４を、所定の長さの矩形状のウェブ板５により連設したＨ形鋼により構成されている。
【００３３】
Ｈ形鋼により構成されているレールＲは、図１・図１４に示すように、チェーンブロックＢを移動可能に取り付けることのできる、モノレールとして利用できるものである。チェーンブロックＢは、自身の構成として備えている複数の車輪Ｂ１を、レールＲを構成する下側のフランジ板４に載置して、この下側のフランジ板４に沿って移動するものである。
【００３４】
尚、施設の上部に設置されている既設のモノレールを利用して、クリーンルームを製作して良いことは、勿論である。
【００３５】
また、図１・図６・図７に示すように、Ｈ形鋼により構成されているレールＲのウェブ板５の両端部に取付孔６を穿設し、この取付孔６に支持杆２Ａ，２Ｂを貫装して、レールＲに支持杆２Ａ，２Ｂを配置している。
【００３６】
この支持杆２Ａ，２Ｂは、所定の長さの四角柱状に形成されている。また、支持杆２Ａの両端部分には、図８（ａ）（ｂ）に示すように、その上面ａ・外側面ｂ・端面ｃに、支持突棒７ａ・７ｂ・７ｃを着脱自在に取り付けている。
【００３７】
支持突棒７ａ・７ｂ・７ｃは、図８（ａ）に示すように、短尺な棒状に形成され、その先端部が球状に膨出している。また、支持突棒７ａ・７ｂ・７ｃの基端部の周面には、雄ネジ部８を設けている。
【００３８】
一方、支持杆２Ａの上面ａ・外側面ｂ・端面ｃには、図８（ａ）に示すように、それぞれ雌ネジ孔９を設けている。この支持杆２Ａの上面ａ・外側面ｂ・端面ｃの雌ネジ孔９に、支持突棒７ａ・７ｂ・７ｃの雄ネジ部８をねじ込んで、図８（ｂ）に示すように、支持杆２Ａの上面ａ・外側面ｂ・端面ｃに、それぞれ支持突棒７ａ・７ｂ・７ｃを取り付けているのである。
【００３９】
支持杆２Ｂは、基本的に支持杆２Ａと同一に形成されていることから、同一の構成には同一の符号を付すことにより、その詳細な説明を省略する。尚、支持杆２Ａの外側面ｂは、図８（ａ）（ｂ）に示すように、手前側に位置しているが、支持杆２Ｂにおいては、図８（ｃ）に示すように、外側面ｂが向こう側に位置することとなる。
【００４０】
また、支持杆２Ａは、例えば、図６に示すように、一方側の支持突棒７ａ・７ｂ・７ｃを取り外した状態で、レールＲのウェブ板５の取付孔６に支持杆２Ａを貫装し、その後、図７に示すように、一方側の支持突棒７ａ・７ｂ・７ｃを、支持杆２Ａに再度取り付けるのである。この取り付けの手順は、支持杆２Ｂについても同様である。
【００４１】
両支持杆２Ａ，２ＢとレールＲの上面側に取り付けるシートＳ１は、図２に示すように、比較的に大きな矩形状に形成され、シートＳ１の角部のそれぞれに、取付孔１０を設けている。そして、図９・図１０に示すように、このシートＳ１の取付孔１０を、支持杆２Ａ，２Ｂの支持突棒７ａに掛け止めすることにより、図４に示すように、クリーンルーム１としての天井部分を形成するシートＳ１を配置している。
【００４２】
両支持杆２Ａ，２Ｂの一端側に取り付けるシートＳ２と、他端側に取り付けるシートＳ３は、図３に示すように横長の矩形状に形成され、シートＳ２，Ｓ３における上方の角部のそれぞれに、取付孔１１を設けている。そして、図９・図１０に示すように、このシートＳ２，Ｓ３の取付孔１１を、支持杆２Ａ，２Ｂの支持突棒７ｃに掛け止めすることにより、図４に示すように、クリーンルーム１としての周壁部分の一部を形成するシートＳ２，Ｓ３を配置している。
【００４３】
尚、図３に示すように、シートＳ２，Ｓ３の下方の角部のそれぞれにも、取付孔１１を設けおくと、シートＳ２，Ｓ３として好ましいものとなる。
【００４４】
この他、支持杆２Ａの側面に取り付けるシートＳ４と、支持杆２Ｂの側面に取り付けるシートＳ５も、図３に示すように横長の矩形状に形成され、シートＳ４，Ｓ５における上方の角部のそれぞれに、取付孔１２を設けている。そして、図９・図１０に示すように、このシートＳ４，Ｓ５の取付孔１２を、支持杆２Ａ，２Ｂの支持突棒７ｂに掛け止めすることにより、図４に示すように、クリーンルーム１としての周壁部分の一部を形成するシートＳ４，Ｓ５を配置している。
【００４５】
尚、図３に示すように、シートＳ４，Ｓ５の下方の角部のそれぞれにも、取付孔１２を設けおくと、シートＳ４，Ｓ５として好ましいものとなる。
【００４６】
そして、図５・図１１に示すように、各シートＳ１、Ｓ２，Ｓ３、Ｓ４，Ｓ５が接合している部分と、レールＲの吊り下げ柱３の周囲に、所定のテープＴを貼着している。
【００４７】
また、図１乃至図１１に示す簡易クリーンルーム１は、Ｈ形鋼により構成されているレールＲのウェブ板５において、取付孔６をウェブ板５の端部における略中間位置に穿設し、この取付孔６に支持杆２Ａ，２Ｂを貫装しているが、これに限定されることはない。例えば、図１２に示すように、取付孔６をウェブ板５の下方位置に穿設し、この取付孔６に支持杆２Ａ（２Ｂ）を貫装して、レールＲを構成する下方に位置しているフランジ板４に、支持杆２Ａ（２Ｂ）を載置したときには、支持杆２Ａ（２Ｂ）をより安定した状態で配置することができる。
【００４８】
この他、図１３（ａ）に示すように、ウェブ板５の取付孔６に、所定の長さの
円筒体１３を水平状に固定し、この円筒体１３に支持杆２Ａ（２Ｂ）を貫装して、支持杆２Ａ（２Ｂ）を安定した状態で配置しても良い。
【００４９】
また、図１３（ｂ）（ｃ）に示すように、円筒体１３の両側から、分割した支持杆２Ａ（２Ｂ）を貫装して、支持杆２Ａ（２Ｂ）を配置しても良い。
【００５０】
さらに、図１・図６・図７に示すレールＲにおいては、ウェブ板５の両端部に取付孔６を穿設し、この２個の取付孔６に支持杆２Ａ，２Ｂを貫装しているが、これに限定されることはない。例えば、ウェブ板５の長手方向に沿うように、３個以上の取付孔６を所定の間隔を開けて穿設し、支持杆２Ａ，２Ｂを貫装する取付孔６を適宜選択して、好ましい大きさのクリーンルーム１を製作しても良い。
【００５１】
上記したように、本発明によれば、２本の支持杆２Ａ，２Ｂを所定の間隔を開けてレールＲに配置する工程と、両支持杆２Ａ，２ＢとレールＲの上面側にシートＳ１を取り付ける工程、また、両支持杆２Ａ，２Ｂの一端側・他端側のそれぞれに、レールＲの長手方向に沿うようにシートＳ２，Ｓ３を取り付ける工程、さらに、個々の支持杆２Ａ，２Ｂの側面に、それぞれシートＳ４，Ｓ５を取り付ける工程により、クリーンルーム１を容易に製作することができる。
【００５２】
尚、本発明は前記した実施の形態に限定されるものではなく、本発明の目的を達成できる範囲での改良・変形等は、本発明に全て包含されるものである。
【産業上の利用可能性】
【００５３】
本発明は、例えば、施設の上部において、必要に応じてチェーンブロックを移動可能に取り付けることのできるレールが、種々の方向に複数設置されている場合において、このレールを利用することにより、施設内にクリーンルームを容易に製作するものであるが、その他にも、様々な施設に設置されている所定のレールを活用してクリーンルームを製作するものとして、幅広く利用することができる。
【符号の説明】
【００５４】
１…簡易クリーンルーム
２Ａ…支持杆
２Ｂ…支持杆
Ｓ１…シート
Ｓ２…シート
Ｓ３…シート
Ｓ４…シート
Ｓ５…シート
３…吊り下げ柱
４…フランジ板
５…ウェブ板
６…取付孔
ａ…上面
ｂ…外側面
ｃ…端面
７ａ…支持突棒
７ｂ…支持突棒
７ｃ…支持突棒
８…雄ネジ部
９…雌ネジ孔
１０…取付孔
１１…取付孔
１２…取付孔
１３…円筒体
Ｂ…チェーンブロック
Ｒ…レール
Ｔ…テープ
【図１】
2012180964.tif 000003
【図２】
2012180964.tif 000004
【図３】
2012180964.tif 000005
【図４】
2012180964.tif 000006
【図５】
2012180964.tif 000007
【図６】
2012180964.tif 000008
【図７】
2012180964.tif 000009
【図８】
2012180964.tif 000010
【図９】
2012180964.tif 000011
【図１０】
2012180964.tif 000012
【図１１】
2012180964.tif 000013
【図１２】
2012180964.tif 000014
【図１３】
2012180964.tif 000015
【図１４】
2012180964.tif 000016